(57)【要約】【課題】隣り合うデッキ材の対向する側面間に金具体を介装し、金具体の取付部を施工面に取付固定し、一方のデッキ材の長手方向の側面に形成された長手方向に延びる溝状部に金具体の一方側部に形成された挿入部を挿入すると共に、他方のデッキ材の長手方向の側面に形成された長手方向に延びる溝状部に金具体の他方側部に形成された反対向きの挿入部を挿入することになり、使用の耐久性を高めることができる。【解決手段】隣り合うデッキ材Ｗの対向する側面間に介装され、施工面Ｆに取付可能な取付部１ａをもつ金具体１に、隣り合う一方のデッキ材の側面に形成された溝状部Ｗ1及び他方のデッキ材の側面に形成された溝状部にそれぞれ挿入可能な互いに反対向きの挿入部１ｂを設けてなる。【選択図】図１
2008106556.tif 000002
【特許請求の範囲】
【請求項１】
長手方向の両側面に長手方向に延びる溝状部が形成されてなる複数個の長尺状のデッキ材を施工面上に並列状に配置するための金具であって、上記隣り合うデッキ材の対向する側面間に介装され、上記施工面に取付可能な取付部をもつ金具体に、該隣り合う一方のデッキ材の側面に形成された溝状部及び他方のデッキ材の側面に形成された溝状部にそれぞれ挿入可能な互いに反対向きの挿入部を設け、かつ、該挿入部に該溝状部の少なくとも内底面に弾接可能な弾性材を設けてなることを特徴とするデッキ材取付金具。
【請求項２】
上記金具体に上記隣り合うデッキ材の対向間隔を定める間隔設定部を設けてなることを特徴とする請求項１記載のデッキ材取付金具。
【請求項３】
上記取付部に上記金具体を施工面に固定するための固定ネジが挿通される取付穴を形成してなることを特徴とする請求項１又は２記載のデッキ材取付金具。
【発明の詳細な説明】
【技術分野】
【０００１】
本発明は例えば住宅、施設等のベランダやテラスにデッキ材を複数個並列状に配置してなるウッドデッキを構築する際に用いられるデッキ材取付金具に関するものである。
【背景技術】
【０００２】
従来、この種のデッキ材取付金具として、例えば、特開２００６−２０７３６３号公報の図１０に示されているように、根太材の上面等の施工面に取付可能な取付部をもつ金具体に隣り合う一方のデッキ材の長手方向の側面に形成された溝状部及び他方のデッキ材の長手方向側面に形成された溝状部にそれぞれ嵌合可能な嵌合部を設けてなる断面エ形状をもつ構造のものが知られている。
【特許文献１】特開２００６−２０７３６３号公報
【発明の開示】
【発明が解決しようとする課題】
【０００３】
しかしながらこの従来構造の場合、上記金具体を固定ネジにより施工面に取り付けると共に金具体を取付ネジによりデッキ材に取り付ける構造となっており、通常、デッキ材は屋外に設置されるから、夏、冬、昼、夜等の外気温度の温度変化によって、デッキ材は膨張、収縮して長手方向に伸縮し、この伸縮によりデッキ材にねじ込まれている取付ネジが緩んだり、折損することがあり、このため、デッキ材が外れたり、がたついたりすることがあるという不都合を有している。
【課題を解決するための手段】
【０００４】
本発明はこれらの不都合を解決することを目的とするもので、本発明のうちで、請求項１記載の発明は、長手方向の両側面に長手方向に延びる溝状部が形成されてなる複数個の長尺状のデッキ材を施工面上に並列状に配置するための金具であって、上記隣り合うデッキ材の対向する側面間に介装され、上記施工面に取付可能な取付部をもつ金具体に、該隣り合う一方のデッキ材の側面に形成された溝状部及び他方のデッキ材の側面に形成された溝状部にそれぞれ挿入可能な互いに反対向きの挿入部をに設け、かつ、該挿入部に該溝状部の少なくとも内底面に弾接可能な弾性材を設けてなることを特徴とするデッキ材取付金具にある。
【０００５】
又、請求項２記載の発明は、上記金具体に上記隣り合うデッキ材の対向間隔を定める間隔設定部を設けてなることを特徴とするものであり、又、請求項３記載の発明は、上記取付部に上記金具体を上記施工面に固定するための固定ネジが挿通される取付穴を形成していることを特徴とするものである。
【発明の効果】
【０００６】
本発明は上述の如く、請求項１記載の発明にあっては、複数個の長尺状のデッキ材を施工面上に並列状に配置し、隣り合うデッキ材の対向する側面間に金具体を介装し、金具体の取付部を施工面に取付固定し、一方のデッキ材の長手方向の側面に形成された長手方向に延びる溝状部に金具体の一方側部に形成された挿入部を挿入すると共に、他方のデッキ材の長手方向の側面に形成された長手方向に延びる溝状部に金具体の他方側部に形成された反対向きの挿入部を挿入することになり、この挿入部に溝状部の少なくとも内底面に弾接可能な弾性材が設けられているから、弾性材によりデッキ材の溝状部の少なくとも内底面を弾圧することができ、この弾圧によりデッキ材を施工面上に弾圧固定することができ、かつ、この弾圧固定状態において、上記弾圧材とデッキ材の内底面とは滑り接触が可能であるから、デッキ材が外気温度の温度変化に伴う伸縮を許容することができ、デッキ材の外れやがたつきを防ぐことができ、使用の耐久性を高めることができると共にデッキ材の施工作業性を高めることができる。
【０００７】
又、請求項２記載の発明にあっては、上記金具体に上記隣り合うデッキ材の対向間隔を定める間隔設定部を設けてなるから、デッキ材の側面間に床下の換気や湿気の防止を目的とする対向するデッキ材間の間隙を確実に得ることができ、所定の一定間隔でデッキ材を並列状に配置することができ、外観体裁を高めることができ、又、請求項３記載の発明にあっては、上記取付部に上記金具体を施工面に固定するための固定ネジが挿通される取付穴を形成してなるから、固定ネジのみよりデッキ材を施工面に固定することができ、施工作業性を高めることができる。
【発明を実施するための最良の形態】
【０００８】
図１乃至図１３は本発明の実施の形態例を示し、Ｗはデッキ材であって、木材や木質系材料からなり、長尺状にして、長手方向の両側面に長手方向に延びる溝状部Ｗ1・Ｗ1が形成され、図８の如く、施工面Ｆ上に複数個並列状に配置され、これにより、例えば、ウッドデッキを構築することになる。
【０００９】
この場合、コンクリート床面Ｇ上に束部材Ｋにより鋼材や木材製の根太材Ｄを複数個配置し、この根太材Ｄの上面を施工面Ｆとしている。
【００１０】
１は金具体であって、図１、図２の如く、上記隣り合うデッキ材Ｗ・Ｗの対向する側面間に介装され、上記施工面Ｆに取付可能な略Ｌ状の取付部１ａが形成され、隣り合う一方のデッキ材Ｗの側面に形成された溝状部Ｗ1及び他方のデッキ材Ｗの側面に形成された溝状部Ｗ1にそれぞれ挿入可能な挿入部１ｂ・１ｂが互いに反対向きの水平側方に向けて折曲形成され、この挿入部１ｂ・１ｂに溝状部Ｗ1・Ｗ1の少なくとも内底面Ｗ2・Ｗ2に弾接可能なゴムや弾性を有する合成樹脂等からなる袋状の弾性材２を圧入状態で着脱自在に嵌着している。
【００１１】
この場合、上記金具体１に上記隣り合うデッキ材Ｗ・Ｗの対向間隔Ｂを定める間隔設定部１ｃ・１ｃを折曲形成している。
【００１２】
又、この場合、上記取付部１ａに上記金具体１を施工面Ｆに固定するための固定ネジ３が挿通される取付穴１ｄを形成している。
【００１３】
この実施の形態例は上記構成であるから、図７、図８の如く、複数個の長尺状のデッキ材Ｗ・Ｗを施工面Ｆ上に並列状に配置し、隣り合うデッキ材Ｗ・Ｗの対向する側面間に金具体１を介装し、金具体１の取付部１ａを施工面Ｆに取付固定し、図１１、図１２、図１３の如く、一方のデッキ材Ｗの長手方向の側面に形成された長手方向に延びる溝状部Ｗ1に金具体１の一方側部に形成された挿入部１ｂを挿入すると共に、他方のデッキ材Ｗの長手方向の側面に形成された長手方向に延びる溝状部Ｗ1に金具体１の他方側部に形成された反対向きの挿入部１ｂを挿入することになり、この挿入部１ｂ・１ｂに溝状部Ｗ1・Ｗ1の少なくとも内底面Ｗ2・Ｗ2に弾接可能な弾性材３が設けられているから、弾性材３によりデッキ材Ｗの溝状部Ｗ1・Ｗ1の少なくとも内底面Ｗ2・Ｗ2を弾圧することができ、この弾圧によりデッキ材Ｗを施工面Ｆ上に弾圧固定することができ、かつ、この弾圧固定状態において、上記弾圧材３とデッキ材Ｗの内底面Ｗ2・Ｗ2とは滑り接触が可能であるから、デッキ材Ｗが外気温度の温度変化に伴う伸縮を許容することができ、デッキ材の外れやがたつきを防ぐことができ、使用の耐久性を高めることができると共にデッキ材Ｗ・Ｗの施工作業性を高めることができる。
【００１４】
この場合、図１１の如く、上記金具体１に上記隣り合うデッキ材Ｗ・Ｗの対向間隔を定める間隔設定部１ｃ・１ｃを設けてなるから、デッキ材Ｗ・Ｗの側面間に床下の換気や湿気の防止を目的とする対向するデッキ材Ｗ・Ｗ間の間隙間隙を確実に得ることができ、所定の一定間隔でデッキ材Ｗ・Ｗを並列状に配置することができ、外観体裁を高めることができ、又、この場合、図３、図１１の如く、上記取付部１ａに上記金具体１を施工面Ｆに固定するための固定ネジ３が挿通される取付穴１ｄを形成してなるから、固定ネジ３のみよりデッキ材Ｗ・Ｗを施工面Ｆに固定することができ、施工作業性を高めることができ、又、この場合、上記挿入部１ｂ・１ｂに弾性材２を圧入状態で着脱自在に嵌着しているから、弾性材２の劣化時に弾性材２の交換を容易に行うことができ、メインテナンスによりデッキ材の外れやがたつきを防止するという初期性能の維持を容易に行うことができる。
【００１５】
尚、本発明は上記実施の形態例に限られるものではなく、例えば、施工面の構造やデッキ材Ｗの材質や形態、金具体１、弾性材２の構造や形態、材質等は適宜変更して設計され、又、上記挿入部１ｂに設けられた弾性材２は溝状部Ｗ1の内底面Ｗ2に弾接する構造となっているが、弾性材２が溝状部Ｗ1の内底面Ｗ2に加えて溝状部Ｗ1の内上面も弾接する構造とすることもできる。
【００１６】
以上、所期の目的を充分達成することができる。
【図面の簡単な説明】
【００１７】
【図１】本発明の実施の形態例の斜視図である。
【図２】本発明の実施の形態例の斜視図である。
【図３】本発明の実施の形態例の平面図である。
【図４】本発明の実施の形態例の正面図である。
【図５】本発明の実施の形態例の側面図である。
【図６】本発明の実施の形態例の側断面図である。
【図７】本発明の実施の形態例の使用状態の分離斜視図である。
【図８】本発明の実施の形態例の使用状態の斜視図である。
【図９】本発明の実施の形態例の使用状態の平面図である。
【図１０】本発明の実施の形態例の使用状態の側断面図である。
【図１１】本発明の実施の形態例の使用状態の拡大側断面図である。
【図１２】本発明の実施の形態例の使用状態の拡大横断面図である。
【図１３】本発明の実施の形態例の使用状態の拡大平断面図である。
【符号の説明】
【００１８】
Ｗ    デッキ材
Ｗ1    溝状部
Ｗ2    内底面
Ｆ    施工面
Ｂ    対向間隔
１    金具体
１ａ    取付部
１ｂ    挿入部
１ｃ    間隔設定部
１ｄ    取付穴
２    弾性材
３    固定ネジ
【図１】
2008106556.tif 000003
【図２】
2008106556.tif 000004
【図３】
2008106556.tif 000005
【図４】
2008106556.tif 000006
【図５】
2008106556.tif 000007
【図６】
2008106556.tif 000008
【図７】
2008106556.tif 000009
【図８】
2008106556.tif 000010
【図９】
2008106556.tif 000011
【図１０】
2008106556.tif 000012
【図１１】
2008106556.tif 000013
【図１２】
2008106556.tif 000014
【図１３】
2008106556.tif 000015